(57)【要約】【課題】細胞を経血管的に標的組織に向けて局所的に投与可能な医療器具を提供する。【解決手段】脈管内に留置される医療器具であって、前記脈管内で前記脈管の周壁を刺通し、前記脈管の内外を連通する中空針部と、前記脈管内で前記中空針部よりも前記脈管の延在方向の下流側に配置され、前記脈管内で前記体液と触れることで前記脈管を塞栓する塞栓部と、を備える。【選択図】図３
2018175313.tif 000002
【特許請求の範囲】
【請求項１】
脈管内に留置される医療器具であって、
前記脈管内で前記脈管の周壁を刺通し、前記脈管の内外を連通する中空針部と、
前記脈管内で前記中空針部よりも前記脈管の延在方向の下流側に配置され、前記脈管内で体液と触れることで前記脈管を塞栓する塞栓部と、を備える医療器具。
【請求項２】
前記脈管内で、前記中空針部が前記周壁を刺通しない状態から刺通する状態へと移動又は変形させる付勢部を備える、請求項１に記載の医療器具。
【請求項３】
前記付勢部は、前記脈管内で前記脈管の径方向外側に拡張可能な拡張部を備え、
前記中空針部は、前記拡張部の拡張に追従して移動して前記周壁を刺通する、請求項２に記載の医療器具。
【請求項４】
前記中空針部は、前記脈管内に留置された状態で、前記脈管の周方向において複数設けられている、請求項１乃至３のいずれか１つに記載の医療器具。
【請求項５】
前記中空針部は、前記脈管内に留置された状態で、前記脈管の延在方向において複数設けられている、請求項１乃至４のいずれか１つに記載の医療器具。
【請求項６】
前記塞栓部は、前記脈管内で体液と触れて膨潤する、又は、前記脈管内で体液を凝固させる作用を持つ、血栓生成物質を含む、請求項1乃至５のいずれか１つに記載の医療器具。
【請求項７】
前記塞栓部は、前記血栓生成物質を保持し、前記脈管内で前記脈管の径方向に拡張する拡張体を備える、請求項６に記載の医療器具。
【請求項８】
前記拡張体は網状部材である、請求項７に記載の医療器具。
【発明の詳細な説明】
【技術分野】
【０００１】
本開示は医療器具に関する。
【背景技術】
【０００２】
従来から、免疫を高めて癌を治療する癌免疫療法が知られている。癌免疫療法の中には、患者の免疫細胞の機能を高めて癌を治療する免疫細胞療法がある。この免疫細胞療法は、患者の免疫細胞を体外に取り出し、培養・活性化した上で患者の体内に戻すことで、癌細胞に対する免疫を高め、癌を治療するものである。特許文献１には、癌免疫療法の一例が記載されている。
【先行技術文献】
【特許文献】
【０００３】
【特許文献１】特表２０１７−５０３４７２号公報
【発明の概要】
【発明が解決しようとする課題】
【０００４】
ところで、免疫細胞などの所定の細胞を、経血管的に標的組織に向けて局所的に投与する医療器具や細胞投与方法は確立されていない。
【０００５】
本開示は、細胞を経血管的に標的組織に向けて局所的に投与可能な医療器具を提供することを目的とする。
【課題を解決するための手段】
【０００６】
本発明の第１の態様としての医療器具は、脈管内に留置される医療器具であって、前記脈管内で前記脈管の周壁を刺通し、前記脈管の内外を連通する中空針部と、前記脈管内で前記中空針部よりも前記脈管の延在方向の下流側に配置され、前記脈管内で体液と触れることで前記脈管を塞栓する塞栓部と、を備える。
【０００７】
本発明に１つの実施形態としての医療器具は、前記脈管内で、前記中空針部が前記周壁を刺通しない状態から刺通する状態へと移動又は変形させる付勢部を備える。
【０００８】
本発明に１つの実施形態として、前記付勢部は、前記脈管内で前記脈管の径方向外側に拡張可能な拡張部を備え、前記中空針部は、前記拡張部の拡張に追従して移動して前記周壁を刺通する。
【０００９】
本発明に１つの実施形態として、前記中空針部は、前記脈管内に留置された状態で、前記脈管の周方向において複数設けられている。
【００１０】
本発明に１つの実施形態として、前記中空針部は、前記脈管内に留置された状態で、前記脈管の延在方向において複数設けられている。
【００１１】
本発明に１つの実施形態として、前記塞栓部は、前記脈管内で体液と触れて膨潤する、又は、前記脈管内で体液を凝固させる作用を持つ、血栓生成物質を含む。
【００１２】
本発明に１つの実施形態として、前記塞栓部は、前記血栓生成物質を保持し、前記脈管内で前記脈管の径方向に拡張する拡張体を備える。
【００１３】
本発明に１つの実施形態として、前記拡張体は網状部材である。
【発明の効果】
【００１４】
本開示によれば、細胞を経血管的に標的組織に向けて局所的に投与可能な医療器具を提供することができる。
【図面の簡単な説明】
【００１５】
【図１】癌免疫療法の一例の概要を示す図である。
【図２】本発明の一実施形態としての医療器具の単体を示す図である。
【図３】図２に示す医療器具が血管内に留置された状態を示す図である。
【図４】図２に示す医療器具を血管内の所定位置まで運ぶ様子を示す図である。
【発明を実施するための形態】
【００１６】
以下、本発明に係る医療器具の実施形態について、図１〜図４を参照して説明する。各図において共通する部材・部位には同一の符号を付している。
【００１７】
図１は、癌免疫療法の一例の概要を示す図である。図１に示す癌免疫療法では、患者Ｐの血液から免疫細胞Ｘを取り出し、活性化・培養し、再び患者Ｐの血液に戻す。これにより、患者Ｐの免疫力が高められ、癌細胞の排除と、癌細胞の発生の抑制と、を実現することができる。
【００１８】
図２及び図３は、図１に示す癌免疫療法に利用可能な、本実施形態としての医療器具１を示す図である。図２では、医療器具１の単体を示している。図３では、医療器具１が脈管としての血管ＢＶ内に留置された状態を示している。より具体的に、図３では、医療器具１が、癌治療の対象となる標的組織Ｔに対して、血管ＢＶの上流側の近傍の位置に留置されている状態を示している。なお、図２の医療器具１は側面図であり、図３の医療器具１は断面図である。
【００１９】
図２、図３に示すように、医療器具１は、中空針部２と、塞栓部３と、付勢部４と、を備えている。
【００２０】
図３に示すように、中空針部２は、脈管としての血管ＢＶ内で、血管ＢＶの周壁である血管壁を刺通し、血管ＢＶの内外を連通可能である。図３では、中空針部２が、血管ＢＶの周壁を刺通した状態を示しており、この状態で血管ＢＶ内外は、中空針部２の流路２ａにより連通している。
【００２１】
また、本実施形態の中空針部２は、血管ＢＶ内に留置された状態で、血管ＢＶの周方向において複数設けられている。更に、図３に示すように、本実施形態の中空針部２は、血管ＢＶ内に留置された状態で、血管ＢＶの延在方向においても複数設けられている。このように、医療器具１を血管ＢＶ内に留置した状態で血管ＢＶの周壁を貫く中空針部２を、血管ＢＶの周方向や延在方向に複数配置することにより、周方向や延在方向に単数配置する構成と比較して、血管ＢＶの下流側に位置する癌治療の対象となる標的組織Ｔに対して、免疫細胞Ｘ等の細胞を、血管ＢＶ内から血管ＢＶ外を通じて、より多く投与することができる。
【００２２】
中空針部２の形成材料は、生体適合性を有する材料であることが好ましく、生体適合性を有する樹脂、シリコン、金属、および、セラミックなどとすることができる。このうち、生体適合性を有する樹脂は、例えば、医療用シリコーン、ポリ乳酸、ポリグリコール酸、ポリカーボネート、および、ＰＥＥＫ材などであり、生体適合性を有する金属は、ステンレス鋼、チタン、および、マンガンなどである。また、生体適合性を有するセラミックは、アルミナ、ジルコニア、炭化ケイ素、および、窒化ケイ素などである。なお、中空針部２が薬剤を含み、かつ、外部から中空針部２に与えられた溶液によって溶解する構成の場合には、中空針部２の形成材料は水溶性高分子であればよい。
【００２３】
また、中空針部２の長さは、例えば、数百μｍから数ｍｍ程度であることが好ましい。中空針部２の幅は、数十μｍから数百μｍ程度であることが好ましい。なお、本実施形態の中空針部２の長さとは、後述する付勢部４の拡張部としての環状部材の外面からの突出長さＬ（図２参照）を意味する。また、本実施形態の中空針部２の幅とは、中空針部２の最大幅Ｄ（図２参照）を意味する。
【００２４】
図３に示すように、塞栓部３は、血管ＢＶ内で中空針部２よりも血管ＢＶの延在方向の下流側に配置される。そして、塞栓部３は、血管ＢＶ内で体液としての血液と触れることで、例えば血栓などの栓子を形成し、血管ＢＶを塞栓する。
【００２５】
具体的に、本実施形態の塞栓部３は、脈管としての血管ＢＶ内で体液としての血液と触れて膨潤する血栓生成物質を含む。このような血栓生成物質としては、例えば、ハイドロゲルが挙げられる。但し、血管ＢＶ内で血液を凝固させる作用を持つ血栓生成物質としてもよい。
【００２６】
より具体的に、本実施形態の塞栓部３は、血栓生成物質を保持し、血管ＢＶ内で血管ＢＶの径方向外側に拡張可能な拡張体を備えている。本実施形態の拡張体は、自己拡張型の網状部材である。図２及び図３では、拡張状態の網状部材を示している。この網状部材は、線材で形成された塊体であり、線材間に多数の内部空間が形成されている。そして、この網状部材は、線材間の内部空間が少なくなるように収縮した状態とすることができ、収縮状態の網状部材は、後述するデリバリー用カテーテル５（図４参照）内に収容可能であり、収縮状態でデリバリー用カテーテル５（図４参照）内に収容された状態で、脈管内の所定位置まで運ばれる。なお、上述した血栓生成物質は、拡張体としての網状部材を構成する線材の表面上に保持されている。
【００２７】
塞栓部３の拡張体としての網状部材を構成する線材については、各種金属材料、高分子材料などが用いられる。例えば、ステンレス鋼、タンタル、ニッケル−チタン合金（ニチノールを含む）、生分解性マグネシュウム合金およびコバルト合金（コバルト−クロム−ニッケル合金を含む）などの金属材料が挙げられる。
【００２８】
また、高分子材料としては、ポリエチレン、ポリプロピレン、エチレン−プロピレン共重合体、エチレン−酢酸ビニル共重合体、架橋型エチレン−酢酸ビニル共重合体、ポリ塩化ビニル、ポリアミドエラストマー、ポリウレタン、ポリエステル、ポリアリレーンサルファイド等の熱可塑性樹脂が挙げられる。なかでも、生体内で分解され、かつ、分解物が毒性を示さない生分解性高分子材料が好ましい。生体内で分解する高分子材料としては、例えば、ポリ乳酸、ポリ（乳酸−グリコール酸）、ポリグリコール酸、ポリ（乳酸−ε−カプロラクトン）、ポリ（グリコール酸−ε−カプロラクトン）、ポリ−ｐ−ジオキサノン、ポリ（グリコール酸−トリメチレンカーボネート）、ポリ−β−ヒドロキシ酪酸などが挙げられる。
【００２９】
なお、本実施形態の塞栓部３の拡張体としての網状部材は、所定形状に形状記憶させた自己拡張型としているが、バルーン等により拡張される非自己拡張型や、自己拡張型と非自己拡張型との組合せの構成としてもよい。網状部材を構成する線材の表面処理法としては、例えば、酸化剤やフッ素ガスなどによる薬品処理、表面グラフト重合、プラズマ放電処理、コロナ放電処理、ＵＶ／オゾン処理、電子線照射などが挙げられる。
【００３０】
付勢部４は、血管ＢＶ内で、中空針部２が血管ＢＶの周壁を刺通しない状態から刺通する状態へと移動又は変形させる。より具体的に、付勢部４は、血管ＢＶ内で血管ＢＶの径方向外側に拡張可能な拡張部を備えており、中空針部２は、拡張部の拡張に追従して移動して前記周壁を刺通する。なお、本実施形態の付勢部４の拡張部は、中空針部２を外面上に支持し、血管ＢＶの径方向に拡張可能及び収縮可能な環状部材により構成されている。そのため、付勢部４の拡張部としての環状部材が、血管ＢＶ内で径方向外側に拡張変形することにより、中空針部２が血管ＢＶの径方向外側に向かって移動する。その結果、中空針部２を、血管ＢＶの周壁を刺通しない状態から刺通する状態へと移動させることができる。なお、本実施形態における付勢部４の拡張部としての環状部材は、自己拡張型のステントにより構成されており、上述した塞栓部３の拡張体としての網状部材と同様の材料から形成することができる。このように、付勢部４を自己拡張型の拡張部のみから構成してもよい。
【００３１】
以下、本実施形態の医療器具１を、図３に示す血管ＢＶ内に留置する方法について説明する。
【００３２】
図４は、医療器具１を血管ＢＶ内の所定位置まで運ぶ様子を示す図である。図４に示すように、医療器具１は、デリバリー用カテーテル５内に収容された状態で、血管ＢＶの所定の位置まで運ばれる。そして、医療器具１は、血管ＢＶの所定の位置で、デリバリー用カテーテル５から血管ＢＶ内に排出される。これにより、医療器具１の塞栓部３の自己拡張型の網状部材と、医療器具１の付勢部４の自己拡張型のステントと、が血管ＢＶの径方向外側に向かって拡張する。その結果、医療器具１を図３に示す状態にすることができる。なお、医療器具１を送達して血管内に留置する際は、医療器具１の内腔の少なくとも一部に延びて配置される内側デリバリー用カテーテルを使用することができる。図４では内側デリバリー用カテーテルを省略して図示していない。医療器具１を所定の部位に送達した後、内側デリバリー用カテーテルは回収される。内側デリバリー用カテーテルとして、セルフエクスパンダブルステント用のデリバリカテーテルやバルーン拡張ステント用のバルーンカテーテルを用いることができる。
【００３３】
また、図４の状態から図３の状態になると、塞栓部３の拡張体としての網状部材に保持されている血栓生成物質が、血管ＢＶ内の血液に触れる。これにより、血栓生成物質は膨潤し、網状部材を構成する線材間に形成される多数の内部空間を埋める。そのため、網状部材と、膨潤した血栓生成物質と、により栓子が形成され、塞栓部３の位置で血管ＢＶが塞栓され、血流を止める又は弱めることができる。
【００３４】
以下、図３に示すように、医療器具１を標的組織Ｔ近傍の血管ＢＶ内に留置し、血管ＢＶを塞栓部３により塞栓した状態で実行される、免疫細胞Ｘなどの所定の細胞を経血管的に標的組織Ｔのために局所的に投与する細胞投与方法について説明する。
【００３５】
図３に示すように、医療器具１を留置した状態とすることで、血管ＢＶの血流を止める又は弱めることができる。また、図３に示すように、中空針部２により、血管ＢＶ内外は連通した状態となっている。この状態で、血管ＢＶ内に管状部材６を挿通し、管状部材６の先端部に形成されている開口６ａを、医療器具１の留置位置の近傍まで進行させる（図３参照）。そして、管状部材６を通じて、開口６ａから、標的組織Ｔの癌治療のために用いられる免疫細胞Ｘ等の所定の細胞を排出する。このように、医療器具１の留置位置の近傍で排出された所定の細胞は、中空針部２の流路２ａを通じて、血管ＢＶ内から血管ＢＶ外へと移動することができる。つまり、免疫細胞Ｘ等の所定の細胞を、血管ＢＶ外であって、かつ、標的組織Ｔ近傍の位置に投与することができる。このように、本実施形態の医療器具１を用いれば、免疫細胞Ｘ等の所定の細胞を、経血管的に標的組織Ｔに対して局所的に投与することが可能となる。
【００３６】
なお、上述した細胞投与を実行した後は、中空針部２の流路２ａを通じた血管ＢＶ外への血液の流出を止めるため、例えば、医療器具１よりも血管ＢＶの上流側を塞栓する処置を行う。但し、別の方法により、中空針部２の流路２ａを通じた血管ＢＶ外への血液の流出を止めてもよい。
【００３７】
また、上述の細胞投与方法において局所的に投与する所定の細胞は、標的組織Ｔやその目的に応じて設定される。したがって、局所的に投与する所定の細胞としては、免疫細胞Ｘである血液細胞（例えば、リンパ球（Ｔ細胞、Ｂ細胞、ＮＫ細胞）、赤血球、顆粒球、単球、血小板）に限らず、例えば、造血幹細胞、筋芽細胞、心筋細胞、線維芽細胞、間葉系幹細胞、滑膜細胞、胚性幹細胞、上皮細胞、内皮細胞などであってもよい。また、上述の所定の細胞は、同種異系ドナー細胞、異種ドナー細胞、同系ドナー細胞、遺伝子操作された細胞、株化された細胞系、患者由来の細胞、などを含むものである。
【００３８】
本開示に係る医療器具は、上述した実施形態に記載した事項に限られるものではなく、特許請求の範囲の記載を逸脱しない限り、種々の変更・変形が可能である。
【産業上の利用可能性】
【００３９】
本開示は医療器具に関する。
【符号の説明】
【００４０】
１：医療器具
２：中空針部
２ａ：流路
３：塞栓部
４：付勢部
５：デリバリー用カテーテル
６：管状部材
６ａ：開口
ＢＶ：血管
Ｄ：中空針部の幅
Ｌ：中空針部の長さ
Ｐ：患者
Ｔ：標的組織
Ｘ：免疫細胞
【図１】
2018175313.tif 000003
【図２】
2018175313.tif 000004
【図３】
2018175313.tif 000005
【図４】
2018175313.tif 000006